(57)【要約】      （修正有）【課題】一般的な眼鏡に留めることができ、その固定方式もユーザーに不快感をあたえず、眼鏡をかけないユーザーにも適したヘッド・マウント・ディスプレイとリアルタイムビデオ装置を提供する。【解決手段】ディスプレイモジュールはマルチメディアプレーヤーに接続され、取り外し式耳掛け部は前記ディスプレイモジュールの両端に設置され、取り外し式留め具は前記ディスプレイモジュールに設置される。また、前記取り外し式留め具はユーザーの眼鏡を留めるのに用いられる。なお、映像取得装置はユーザーの動作映像を連続して取り込んで前記動作映像の信号をリアルタイムで転送し、受信装置が前記動作映像の前記信号を受信する。ヘッド・マウント・ディスプレイは前記ユーザーの頭に掛けられ、動作映像が前記ヘッド・マウント・ディスプレイにリアルタイムで表示される。【選択図】図１Ａ
0003143582.tif 000002
【実用新案登録請求の範囲】
【請求項１】
ディスプレイモジュールと、
前記ディスプレイモジュールの両端に設置される２つの取り外し式耳掛け部と、ユーザーの眼鏡を留めるのに用いられ前記ディスプレイモジュールに設置される取り外し式留め具を含むことを特徴とするヘッド・マウント・ディスプレイ。
【請求項２】
前記取り外し式耳掛け部は導電材料で構成され、イヤホンの連接線になることを特徴とする請求項１に記載のヘッド・マウント・ディスプレイ。
【請求項３】
ユーザーの動作映像を連続して取り込み、前記動作映像の信号をリアルタイムで転送する映像取得装置と、
前記動作映像の前記信号を受信するための受信装置と、
前記ユーザーの頭に掛けられ、前記ヘッド・マウント・ディスプレイの表示素子にリアルタイムで前記動作映像が表示されるヘッド・マウント・ディスプレイを含むことを特徴とするリアルタイムビデオ装置。
【請求項４】
ディスプレイモジュールと、
前記ディスプレイモジュールの両端に設置される２つの取り外し式耳掛け部と、ユーザーの眼鏡を留めるのに用いられ前記ディスプレイモジュールに設置される取り外し式留め具を含むことを特徴とする請求項３に記載のリアルタイムビデオ装置。
【請求項５】
前記の映像取得装置は有線転送か無線転送により、前記動作映像の前記信号を転送することを特徴とする請求項３に記載のリアルタイムビデオ装置。
【考案の詳細な説明】
【技術分野】
【０００１】
本考案はヘッド・マウント・ディスプレイに関し、特に一般的な眼鏡に留めることができるヘッド・マウント・ディスプレイに関する。
【背景技術】
【０００２】
科学技術の進歩に伴い、各種データ機器に対する消費者の需要が次第に高まってきているが、映像データの表示に用いられる従来のディスプレイは持ち運びできない。一般的に、持ち運び可能な電子製品は小さいモニターしかつけられないので、表示できる区域が小さいだけでなく、視覚効果が少ない上に、長時間使用すると眼精疲労を起こしやすい。
【０００３】
従来のヘッド・マウント・ディスプレイの形は、重い眼鏡に似ていて、２つの耳掛け部を用いてヘッド・マウント・ディスプレイをユーザーの頭にかける。しかし、正常な視力の持ち主にとっては、前記のヘッド・マウント・ディスプレイをかけるのは快適とはいえないし、視力が悪く普段眼鏡をかける必要があるユーザーにとっても、前記のヘッド・マウント・ディスプレイは眼鏡と干渉が生じるので、不快感がある。
【０００４】
その他に、一般的な運動の練習をするときの体のフォームの修正に良い効果が期待できる。例えば、野球のバッティング練習やゴルフのショットの練習を行うとき、練習者はその場で自分のフォームを見ることができないので、通常、野球ボールやゴルフボールの飛行の軌道や落下点からバッティングやショットのフォームを修正するか、コーチや第三者に見てもらいフォームの修正のアドバイスをもらう必要がある。あるいは、カメラマンに練習状況を録画してもらい、練習者は練習後に自分でそれをチェックし、フォームの修正をしなければならない。前述の方法は数多くの欠点がある。例えば野球のボールやゴルフボールの飛行の軌道や落下点からフォームの修正をする場合、広大な場所が必要になり、なおかつ天気に相当大きな影響をうけることになる。コーチの指導や録画方式の場合、リアルタイムでフォームの修正をすることができない。
【０００５】
上述した従来の技術に存在する欠点を見るにつけ、一般的な眼鏡に留めることができ、その固定方式もユーザーに不快感をあたえず、眼鏡をかけないユーザーにも適したヘッド・マウント・ディスプレイを考案する必要を感じた。同時に、ユーザーがリアルタイムで自分のフォームを見ることができ、運動の練習を行える、リアルタイムビデオ装置の考案の必要性も感じた。
【考案の開示】
【考案が解決しようとする課題】
【０００６】
本考案は、一般的な眼鏡に留めることができ、その固定方式もユーザーに不快感をあたえず、眼鏡をかけないユーザーにも適したヘッド・マウント・ディスプレイを提供することを目的とする。
【０００７】
本考案は、ユーザーが即座に自分のフォームを見ながら運動の練習を行える、リアルタイムビデオ装置を提供することを、もう一つの目的とする。
【０００８】
上述の目的に基づき、本考案に係るヘッド・マウント・ディスプレイは、ディスプレイモジュール、取り外し式耳掛け部及び取り外し式留め具を含む。ディスプレイモジュールはマルチメディアプレーヤーに連接され、取り外し式耳掛け部は前記ディスプレイモジュールの両側に設置される。取り外し式留め具は前記ディスプレイモジュールに設置されユーザーの眼鏡を留めるのに用いられる。本考案に係るリアルタイムビデオ装置は、映像取得装置、受信装置、及びヘッド・マウント・ディスプレイを含む。映像取得装置はユーザーの動作映像を連続して取り込み、リアルタイムで動作映像の信号を転送することができる。受信装置は動作映像の信号を受信するのに用いられる。ヘッド・マウント・ディスプレイはユーザーの頭に掛けられ、動作映像がヘッド・マウント・ディスプレイの表示素子にリアルタイムで表示される。
【課題を解決するための手段】
【０００９】
ディスプレイモジュールと、前記ディスプレイモジュールの両端に設置される２つの取り外し式耳掛け部と、ユーザーの眼鏡を留めるのに用いられ前記ディスプレイモジュールに設置される取り外し式留め具を含むことを特徴とするヘッド・マウント・ディスプレイ。
【考案の効果】
【００１０】
本考案の効果は、一般的な眼鏡に留めることができ、その固定方式もユーザーに不快感をあたえず、眼鏡をかけないユーザーにも適したヘッド・マウント・ディスプレイを提供できることにある。もう一つの本考案であるリアルタイムビデオ装置の効果は、ユーザーがヘッド・マウント・ディスプレイを通してリアルタイムで自分のフォームを見ながらバッティングやショットのフォームの修正を行うことができ、また、記録装置を用いて練習終了後に自分で自分のフォームを見ながらフォーム修正が行えるので、広大な場所も必要なければ天気の影響を受けることもなく、さらに、コーチの指導がなくても運動の練習を行えるところにある。
【考案を実施するための最良の形態】
【００１１】
［実施例］
本考案の実施例は以下に詳述する。しかしながら、以下に述べる以外に、本考案は広範囲にわたるその他の実施例でも施行することができ、本考案の範囲は実施例に限定されず、その後の請求項をもとにする。また、本考案をより明確に示し、より分かりやすくするために、図の中の各部分は実際の相対的な大きさに従って製図しているわけではなく、ある箇所の大きさや大きさの比に関する部分は誇張されている。また、図を簡潔にするために、関係のない細かい部分についても製図されていない。
【００１２】
図Ａは本考案の好ましい実施例におけるヘッド・マウント・ディスプレイの俯瞰図である。前記ヘッド・マウント・ディスプレイ２００は、ディスプレイモジュール２１０、取り外し式耳掛け部２２０及び取り外し式留め具２３０を含む。ディスプレイモジュール２１０はマルチメディアプレーヤー（この図には表示なし）に接続され、ディスプレイモジュール２１０はマルチメディアプレーヤーが再生した映像を表示するのに用いる。取り外し式耳掛け部２２０は左の耳掛け部２２１と右の耳掛け部２２２を含み、ディスプレイモジュール２１０の両側に分けて設置される。取り外し式留め具２３０はディスプレイモジュール２１０に設置され、ユーザーの眼鏡を留めるのに用いられる。
【００１３】
ユーザーが眼鏡をかけている時は、取り外し式耳掛け部２２０を取り外し、取り外し式留め具２３０を用いて前記ディスプレイモジュール２１０をユーザーの眼鏡に留める。ユーザーが眼鏡をかけていない時は、取り外し式留め具２３０を取り外し、取り外し式耳掛け部２２０を取り付け、取り外し式耳掛け部２２０を用いて前記ユーザーがディスプレイモジュール２１０をかけられるようにする。
【００１４】
本実施例における前述のマルチメディアプレーヤーは、例えばＤＶＤプレーヤー、ＭＰ４プレーヤー、ＶＣＤプレーヤーのような映像再生装置であるが、これに限らず、前述のマルチメディアプレーヤーはノートパソコンやＰＤＡ、携帯電話等の持ち運び式電子製品でもよい。
【００１５】
前述の取り外し式耳掛け部２２０はその他にもイヤホン２２５を含み、左の耳掛け部２２１と右の耳掛け部２２２がユーザーの耳に対応するそれぞれの位置に設置する。また、前述の取り外し式耳掛け部２２０は、さらにワンセットのおもり２２６を含み、前記ディスプレイモジュール２１０の重さのバランスをとるのに用いる。本実施例においては、前記おもり２２６は左の耳掛け部２２１と右の耳掛け部２２２の末端に設置するが、これに限らず、前記おもり２２６はその他の位置に設置してもかまわない。
【００１６】
図Ｂは図Ａのヘッド・マウント・ディスプレイの正面図である。前記ディスプレイモジュール２１０はイヤホンジャック２１１を有している。ユーザーが眼鏡をかける時、取り外し式耳掛け部２２０を取り外し、取り外し式留め具２３０を用いてディスプレイモジュール２１０を前記ユーザーの眼鏡に留める。この時、ユーザーは一般的なイヤホンをつけることもでき、イヤホンのプラグをイヤホンジャック２１１に接続することで、音を聴くことができる。
【００１７】
イヤホンは二本の連接線２２７、２２８を有し、ディスプレイモジュール２１０に連接される。本実施例においては、取り外し式耳掛け部２２０は導電性の材質でできており、前記取り外し式耳掛け部２２０は前記イヤホン２２５の接続コードになる。取り外し式耳掛け部２２０がディスプレイモジュール２１０に接続されていない時、イヤホンの接続コード２２７、２２８をディスプレイモジュール２１０のコネクター（ｃｏｎｎｅｃｔｏｒ）に差し込んで設置することで、音を聴くことができる。
【００１８】
本考案は、一般的な眼鏡に留めることができ、その固定方式もユーザーに不快感を与えない、眼鏡をかけないユーザーにも適したヘッド・マウント・ディスプレイを提供する。
【００１９】
図２Ａは本考案のもう一つの好ましい実施例であるリアルタイムビデオ装置の図である。前記リアルタイムビデオ装置３００は映像取得装置３１０、受信装置３２０及びヘッド・マウント・ディスプレイ３３０を含む。映像取得装置３１０はユーザーの動作映像を連続して取り込み、有線信号や無線信号を用いて、前記動作映像の信号をリアルタイムで転送できる。受信装置３２０はユーザーに取り付けることで、前記動作映像の信号を受信することができる。ヘッド・マウント・ディスプレイ３３０はユーザーの頭部にかけられ、前記受信装置３２０に接続される。ヘッド・マウント・ディスプレイ３３０は電子回路板（この図には表示なし）を含み、前記動作映像の信号は電子回路板の信号処理がなされた後、前記動作映像がリアルタイムでヘッド・マウント・ディスプレイ３３０の表示素子３３１上に表示され、ユーザーは映像取得装置３１０が取り込んだ動作映像をみることができる。
【００２０】
本実施例においては、映像取得装置３１０と受信装置３２０の間の信号転送は有線信号や無線信号を用いて行われる。その他に、受信装置３２０とヘッド・マウント・ディスプレイ３３０の間の信号転送も、有線信号や無線信号を使用して行われる。
【００２１】
本実施例において、映像取得装置３１０は電荷結合素子（Ｃｈａｒｇｅ  ＣｏｕｐｌｅＤｅｖｉｃｅ、ＣＣＤ）を用いられるが、これに限らず、映像取得装置３１０はシーモス(Complementary Metal-Oxide Semiconductor, CMOS)を用いてもよく、あるいはその他映像取り込みの装置でもよい。
【００２２】
本実施例においては、ヘッド・マウント・ディスプレイ３３０の表示素子３３１は薄膜トランジスタ液晶ディスプレイ(thin-film transistor liquid-crystal display, TFT-LCD)であるが、これに限らず、前記の表示素子３３１は有機発光ディスプレイ(Organic Light Emitting Display, OLED)でもよいし、その他の映像表示素子でもかまわない。
【００２３】
本実施例において、ヘッド・マウント・ディスプレイ３３０は少なくともレンズを含み、前記動作映像を拡大するのに用いられる。それによって、ユーザーは自分の細かい動作までみることができ、運動フォームを調整できる。ただし、これに限らず、ヘッド・マウント・ディスプレイ３３０はレンズがなくてもよく、信号処理によって映像の拡大を行う場合もあれば、映像拡大の機能をもたない場合もある。
【００２４】
本実施例において、映像取得装置３１０は記録装置（この図には表示なし）を含み、前記動作映像を保存するのに用いられる。前記記録装置にはパソコンやその他映像を保存する機器が使用できる。
【００２５】
図２Ｂは図２Ａのリアルタイムビデオ装置の使用図である。ユーザーがリアルタイムビデオ装置３００を利用して、野球のバッティングやゴルフのショットのような運動の練習を行っているとき、練習者はヘッド・マウント・ディスプレイ３３０を通して自分のフォームをリアルタイムで見ながらフォーム修正を行ったり、記録装置を用いて練習後に自分で自分のフォームを見てフォームの修正をしたりできるので、広大な場所を必要とせず、また天気の影響も受けず、コーチの指導なしでも運動の練習ができる。
【００２６】
上述の実施例は、本考案の技術思想及び特徴を説明しただけのものであり、その目的は、当該分野において通常の知識を有する者が本考案の内容を理解し実施できるようにすることにあるのであって、本考案の実用新案の範囲を限定するものではない。本考案で開示した趣旨に照らして行ったすべての変更および修正は本考案の範囲内に含まれており、下述する実用新案登録請求の範囲内に含まれる。
【図面の簡単な説明】
【００２７】
【図１Ａ】本考案好ましい実施例であるヘッド・マウント・ディスプレイの俯瞰図。
【図１Ｂ】図１Ａヘッド・マウント・ディスプレイの正面図
【図２Ａ】本考案もう一つの好ましい実施例であるリアルタイムビデオ装置の図。
【図２Ｂ】図２Ａのリアルタイムビデオ装置の使用図。
【符号の説明】
【００２８】
２００  ヘッド・マウント・ディスプレイ
２１０  ディスプレイモジュール
２１１  イヤホンジャック
２２０  取り外し式耳掛け部
２２１  左の耳掛け部
２２２  右の耳掛け部
２２５  イヤホン
２２６  おもり
２２７  第一接続線
２２８  第二接続線
２３０  取り外し式留め具
３００  リアルタイムビデオ装置
３１０  映像取得装置
３２０  受信装置
３３０  ヘッド・マウント・ディスプレイ
３３１  表示素子
【図１Ａ】
0003143582.tif 000003
【図１Ｂ】
0003143582.tif 000004
【図２Ａ】
0003143582.tif 000005
【図２Ｂ】
0003143582.tif 000006
【手続補正書】
【提出日】平成20年5月15日(2008.5.15)
【手続補正１】
【補正対象書類名】実用新案登録請求の範囲
【補正対象項目名】請求項３
【補正方法】変更
【補正の内容】
【請求項３】
ユーザーの動作映像を連続して取り込み、前記動作映像の信号をリアルタイムで転送する映像取得装置と、  前記動作映像の前記信号を受信するための受信装置と、  前記ユーザーの頭に掛けられ、ヘッド・マウント・ディスプレイの表示素子にリアルタイムで前記動作映像が表示されるヘッド・マウント・ディスプレイを含むことを特徴とするリアルタイムビデオ装置。